(57)【特許請求の範囲】
【請求項１】
電磁接触器と組み合わせてコンビネーションスタータを構築する回路遮断器の本体ケースの一端に設けた負荷側端子と、該負荷側端子に接続される取付基部と、該取付基部の先端に電磁接触器の電源側端子に接続される接続部を有する導電接続部材とを備え、該導電接続部材は接続部を本体ケース内に格納する格納位置と、接続部を本体ケースから引き出した端子間の接続位置へ移動可能にされており、前記格納位置から引き出した前記導電接続部材の接続部を前記接続位置で電磁接触器の電源側端子と電気的・機械的に接続するようにしたことを特徴とする回路遮断器の端子装置。
【請求項２】
請求項１に記載の端子装置において、導電接続部材は平角導体からなるバー導体で、その取付基部には格納位置，および端子間の接続位置に対応する箇所に端子ねじの通し穴を穿孔するとともに、バー導体の先端には電磁接触器の電源側端子に差し込んでねじ締結するフォーク状の接続部を形成したことを特徴とする回路遮断器の端子装置。
【請求項３】
請求項１または２に記載の端子装置において、回路遮断器の負荷側端子と導電接続部材との間を可撓性の接続線で接続したことを特徴とする回路遮断器の端子装置。
【請求項４】
請求項２または３に記載の端子装置において、負荷側端子を挟んでその左右両側に立設した本体ケースの相間隔壁に負荷側端子および導電接続部材の左右側縁を嵌入支持するガイド溝を形成したことを特徴とする回路遮断器の端子装置。
【請求項５】
請求項２ないし４のいずれかに記載の端子装置において、回路遮断器の据付け面を基準にした負荷側端子の高さ位置と電磁接触器の電源側端子の高さ位置との相対段差に対応して、導電接続部材の取付基部と先端側の接続部との中間部位にクランク状に屈曲した段差部を形成したことを特徴とする回路遮断器の端子装置。
【発明の詳細な説明】
【技術分野】
【０００１】
本発明は、電動機の保護・制御用機器であるコンビネーションスタータに適用する回路遮断器の端子装置に関する。
【背景技術】
【０００２】
電動機の保護・制御用機器として、通称「コンビネーションスタータ」と呼ばれる開閉器ユニットが公知である（例えば、非特許文献１参照）。このコンビネーションスタータは、ブレーカとサーマルリレーの機能を一体化したマニュアルモータスタータ（ＭＭＳ）の名称で知られる回路遮断器（配線用遮断器）に電磁接触器を組み合わせてユニットを構築し、コンパクトな構成で電動機の過負荷，短絡保護および運転，停止制御を行うものである。
一方、制御盤などの盤内で前記コンビネーションスタータを構築する場合に、従来では回路遮断器（マニュアルモータスタータ）と電磁接触器との間に専用付属品の接続モジュールを介装し、この接続モジュールを介して回路遮断器の負荷側端子と電磁接触器の電源側端子との間を電気的・機械的に接続するようにしている（例えば、非特許文献１，特許文献１参照）。
次に、前記接続モジュールを用いて構築したコンビネーションスタータの従来構成を図１２〜図１４に示す。各図において、１は回路遮断器（マニュアルモータスタータ）、１ａ，１ｂは回路遮断器１の本体ケースの両端の端子台に設けた電源側端子，負荷側端子、２は電磁接触器、２ａ，２ｂは電磁接触器の電源側端子，負荷側端子、３はケース内に接続バー３ａを有する接続モジュールであり、コンビネーションスタータを構築するには、図１４で示すように回路遮断器１と電磁接触器２との間に接続モジュール３を介装し、接続モジュール３のケースから前後に突き出した接続バー３ａを回路遮断器１の負荷側端子１ｂと電磁接触器２の電源側端子２ａにねじ締結してコンビネーションスタータを構築している。なお、盤内にベースプレート（据付け台板）を設置した上で、このベースプレート上に回路遮断器１，電磁接触器２，接続モジュール３を搭載た機種もある。
【非特許文献１】製品カタログ“富士マニュアルモータスタータ  コンビネーションスタータ”（第６−７頁）、［online］、富士電機機器制御株式会社、[平成１９年１０月１０日検索]、インターネット＜http://www.fujielectric.co.jp/fcs/jpn/edc/catalog2/EH530b/EH530b_1.pdf＞
【特許文献１】米国特許明細書第６４７２６２１  Ｂ２  号公報
【発明の開示】
【発明が解決しようとする課題】
【０００３】
ところで、先記のコンビネーションスタータを制御盤内で構築する場合には、ユーザーの要望としてできるだけ盤内に据付ける設置面積を小さくすることが求められている。かかる点、先記した従来のコンビネーションスタータは回路遮断器１と電磁接触器２との間に独立構造の附属品である接続モジュール３を介装する必要があるために、ユニットの設置面積が大きくなる問題がある。
そこで、本発明の目的は、従来の接続モジュールを使用せずに、回路遮断器と電磁接触器の本体ケース同士を直接突き合わせて設置した状態で、両者の間を電気的・機械的に接続してコンビネーションスタータを構築できるようにした省スペース化，および取扱性に優れた回路遮断器の端子装置を提供することにある。
【課題を解決するための手段】
【０００４】
上記目的を達成するために、本発明によれば、電磁接触器と組み合わせてコンビネーションスタータを構築する回路遮断器の本体ケースの一端に設けた負荷側端子と、該負荷側端子に接続される取付基部と、該取付基部の先端に電磁接触器の電源側端子に接続される接続部を有する導電接続部材とを備え、該導電接続部材は接続部を本体ケース内に格納する格納位置と、接続部を本体ケースから引き出した端子間の接続位置へ移動可能にされており、前記格納位置から引き出した前記導電接続部材の接続部を前記接続位置で電磁接触器の電源側端子と電気的・機械的に接続するようにし（請求項１）、具体的には導電接続部材を次記のような態様で構成する。
（１）前記の導電接続部材は平角導体からなるバー導体で、その取付基部には格納位置，および端子間の接続位置に対応する箇所に端子ねじの通し穴を穿孔するとともに、バー導体の先端には電磁接触器の電源側端子に差し込んでねじ締結するフォーク状の接続部を形成する（請求項２）。
（２）回路遮断器の負荷側端子と導電接続部材との間を可撓性の接続線で接続する（請求項３）。
（３）前記の負荷側端子を挟んでその左右両側に立設した本体ケースの相間隔壁に負荷側端子および導電接続部材の左右側縁を嵌入支持するガイド溝を形成する（請求項４）。
（４）回路遮断器の据付け面を基準にした負荷側端子の高さ位置と電磁接触器の電源側端子の高さ位置との相対段差に対応して、導電接続部材の取付基部と先端側の接続部との中間部位にクランク状に屈曲した段差部を形成する（請求項５）。
【発明の効果】
【０００５】
上記構成の端子装置によれば、従来の接続モジュール（独立した専用附属品）を使用することなしに、回路遮断器と電磁接触器の本体ケースを直接突き合わせた状態で、回路遮断器の負荷側端子に付設した導電接続部材を格納位置から端子間の接続位置に引き出すことで両者の端子間を直接接続することができる。また、回路遮断器の負荷側端子と導電接続部材との間を可撓性の接続線で接続しておくことにより、端子ねじの締結による接触抵抗の影響を受けずに高い通電性を確保できるとともに、導電接続部材の格納，引出し操作を阻害するおそれもない。さらに、回路遮断器を単独使用する場合には、導電接続部材を格納位置に保持して外部配線の電線を負荷側端子と導電接続部材との間に差し込んで接続することもできる。
これにより、従来の接続モジュールが不要となるので、盤内に構築するコンビネーションスタータの設置面積を縮減して省スペース，コストの低減化が図れる。
【発明を実施するための最良の形態】
【０００６】
以下、本発明の実施の形態を図１〜図１１に示す実施例に基づいて説明する。なお、図１〜図７は実施例１に対応する端子装置の構成図で、図１（ａ），（ｂ）は回路遮断器と電磁接触器の端子間を接続して構築したコンビネーションスタータの側面図および平面図、図２（ａ），（ｂ）は図１（ｂ）の矢視Ａ−Ａ，Ｂ−Ｂ断面図、図３（ａ），（ｂ）は図１に対応する接続状態での端子装置の拡大平面図および側面図、図４（ａ），（ｂ）は導電接続部材の平面図および側面図、図５（ａ），（ｂ）は回路遮断器の負荷側端子の平面図および側面図、図６は導電接続部材を回路遮断器の端子台の内方に格納して電磁接触器と切り離した状態の側面図、図７（ａ），（ｂ）は図６に示す切り離し状態に対応する端子装置の拡大平面図および側面図、図８〜図１１は第２の実施例に対応する端子装置の構成図で、図８はコンビネーションスタータの構築状態を表す側面図、図９（ａ），（ｂ）は端子接続状態での端子装置の平面図および側面図、図１０（ａ），（ｂ）および（ｃ），（ｂ）はそれぞれ図９における接続部材の平面図，側面図および負荷側端子の平面図，側面図、図１１は図８の導電接続部材を端子台に格納した状態を表す回路遮断器の側面図であり、図１２に対応する部材には同じ符号を付してその説明は省略する。
【実施例１】
【０００７】
まず、図１〜図７により本発明の実施例１に対応する端子装置の構成，機能を説明する。この実施例においては、回路遮断器１と電磁接触器２を組み合わせてコンビネーションスタータを構築する場合に、従来構造（図１２〜図１４参照）における接続モジュール３を省略し、その代わり回路遮断器１の本体ケースの端子台に設けた負荷側端子１ｂに導電接続部材４を追加装備して端子装置を構成している。
ここで、導電接続部材４はプレス形成した平角状のバー導体で、図４に示すように導体片の取付基部には後記する格納位置，および端子間の接続位置に対応する箇所に端子ねじ１ｃの通し穴４ａ，４ｂを穿孔するとともに、導体片の先端側には電磁接触器２の電源側端子２ａに差し込んでねじ締結するフォーク状（二股形状）の接続部４ｃを形成し、さらに取付基部の後端には図３で示すように負荷側端子１ｂとの間に接続する可撓性の接続線５（平編，撚り銅線，あるいは銅箔の積層導体）をロウ付け，スポット溶接するための接合座４ｄが形成されている。
一方、回路遮断器１の端子台に配した負荷側端子１ｂは、図５で示すような逆Ｌ字形で、その端子の上面には前記した導電接続部材４のねじ通し穴４ａ，４ｂの配列ピッチに合わせて端子ねじ１ｃを螺設するねじ穴１ｂ−１、および別の補強ねじを螺設するねじ穴１ｂ−２を形成し、さらに該端子の背面には前記した可撓性の接続導体５を接続する接合座１ｂ−３を形成している。
【０００８】
そして、回路遮断器１に電磁接触器２を組み合わせ、その主回路端子間を接続してコンビネーションスタータを構築する場合には、図１のように回路遮断器１と電磁接触器２の本体ケースの端面同士を突き合わせて盤内の据付け面に設置した上で、前記の導電接続部材４を回路遮断器１の端子台から端子間の接続位置に引出し、先端に形成したフォーク状の接続部４ｃを電磁接触器２の電源側端子２ａに接続する。この状態では、導電接続部材４はその取付基部に穿孔したねじ通し穴４ｂに通した端子ねじ１ｃを負荷側端子１ｂのねじ穴１ｂ−１に螺合してこの接続位置に固定保持する。また、導電接続部材４に形成したフォーク状の接続部４ｃは電磁接触器２の電源側端子２ａに差し込み、端子ねじ２ｃで締結する。この端子接続作業は回路遮断器１の各相について行う。これにより、導電接続部材４を介して回路遮断器１と電磁接触器２との間が電気的・機械的に接続されてコンビネーションスタータが構築されることになる。
なお、図２（ａ），（ｂ）で示すように、図示実施例の回路遮断器１，電磁接触器２においては、前記した各極の負荷側端子１ｂ，電源側端子２ａおよび導電接続部材４の左右両側に立設した相間隔壁（絶縁バリア）１ｅ，２ｅの壁面に前後方向に延在するガイド溝１ｅ−１，２ｅ−１を形成しておき、このガイド溝１ｅ−１，２ｅ−１に負荷側端子１ｂ，電源側端子２ａおよび導電接続部材４の格納，接続位置でその左右側縁を嵌入して案内支持するようにしている。また、回路遮断器１の端子台には端子カバー１ｄを設けておき、端子の接続作業を行う際に端子カバー１ｄを外して外部から導電接続部材４にアクセスできるようにしている。
【０００９】
また、図６，図７は回路遮断器１と電磁接触器２との間を切り離した未接続状態を表している。この未接続状態では、導電接続部材４を回路遮断器１の端子台の内方に押し込んで格納するようにしており、この格納位置では導電接続部材４のフォークン状の接続部４c（図４参照）に端子ねじ１ｃを通して負荷側端子１ｂのねじ穴１ｂ−１に締結する。
なお、回路遮断器１を単体で使用する場合には、端子ねじ１ｃを緩めた上で配線用の電線を負荷側端子１ｂと導電接続部材４との間に差し込み、その後に端子ねじ１ｃを締め付けて電線と接続する。また、この場合に電線を接続位置で強固に保持するには、図７で示すように導電接続部材４のねじ通し穴４a（図４参照）に挿入した固定ねじ６を負荷側端子１ｂのねじ穴１ｂ−２（図５参照）に螺合して電線を２本のねじで強固に締め付けることができる。
【実施例２】
【００１０】
次に、請求項５に対応する本発明の応用実施例を図８ないし図１１で説明する。すなわち、回路遮断器１と電磁接触器２を盤内の同じ据付け面に並べて設置する場合に、据付け面を基準とした回路遮断器１の主回路端子の高さ位置（本体ケースの底面を基準にした端子までの高さ）と、電磁接触器２に装備した主回路端子の取付高さ位置とが機種によって異なる場合があり、この場合には図８で示すように回路遮断器１の負荷側端子１ｂと電磁接触器２の電源側端子２ａとの間には相対的な段差ΔＨがある。そこで、この段差ΔＨを補償して回路遮断器１に付設した導電接続部材４を電磁接触器２の電源側端子２ａに差し込み接続できるようにするために、この実施例では図９，図１０で示すように、導電接続部材４の取付基部と先端に形成したフォーク状の接続部4cとの中間部位に前記段差ΔＨに合わせてクランク状に屈曲した段差部４ｅを形成しておく。
これにより、図８のように回路遮断器１と電磁接触器２を突き合わせて盤内の据付け面に並置した状態で、回路遮断器１の端子台から導電接続部材４を端子間の接続位置に引き出すことにより、前記の相対的な段差ΔＨを補償して導電接続部材４の先端に形成したフォーク状の接続部４ｃを電磁接触器２の電源側端子２ａに支障なく差し込み接続することができる。なお、図１１は導電接続部材４を回路遮断器１の端子台の内方に格納して電磁接触器２と切り離した状態を表しており、導電接続部材４は中間の段差部４ｅを逆Ｌ字状に屈曲した負荷側端子１ｂの背後側に重ね合わせ、この位置でフォーク状の接続部４ｃを端子ねじ１ｃで負荷側端子１ｂのねじ穴１ｂ−１に螺合して格納位置に締結保持する。
【図面の簡単な説明】
【００１１】
【図１】本発明の実施例１に対応する端子装置により回路遮断器と電磁接触器の端子間を接続して構築したコンビネーションスタータの全体構成図で、（ａ），（ｂ）はそれぞれ側面図，および平面図
【図２】図１における回路遮断器，電磁接触器の端子台周辺の構造図で、（ａ），（ｂ）はそれぞれ図１（ｂ）の矢視Ａ−Ａ，矢視Ｂ−Ｂ断面図
【図３】図１の端子間の接続状態における端子装置の拡大図で、（ａ），（ｂ）はそれぞれ平面図，および側面図
【図４】図３における導電接続部材の構造図で、（ａ），（ｂ）はそれぞれ平面図，および側面図
【図５】図３における負荷側端子の構造図で、（ａ），（ｂ）はそれぞれ平面図，および側面図
【図６】図１のコンビネーションスタータから端子装置の導電接続部材を回路遮断器の端子台の内方に格納して電磁接触器との間を切り離した状態の側面図
【図７】図６の切り離し状態における端子装置の拡大図で、（ａ），（ｂ）はそれぞれ平面図，および側面図
【図８】本発明の実施例２に対応する端子装置により回路遮断器と電磁接触器の端子間を接続して構築したコンビネーションスタータの側面図
【図９】図８の端子間接続状態における端子装置の拡大図で、（ａ），（ｂ）はそれぞれ平面図，および側面図
【図１０】図９における端子装置の部品構造図で、（ａ），（ｂ）は導電接続部材の平面図，および側面図、（ｃ），（ｂ）は負荷側端子の平面図，および側面図
【図１１】図８の端子間接続状態から端子装置の導電接続部材を電磁接触器から切り離して回路遮断器の端子台内方に格納して状態の側面図
【図１２】接続モジュールを介して回路遮断器と電磁接触器の端子間を接続したコンビネーションスタータの従来構成図で、（ａ），（ｂ）はそれぞれ平面図，および側面図
【図１３】図１２における接続モジュールの接続バーの配列図で、（ａ），（ｂ）はそれぞれ平面図，および側面図
【図１４】図１２のコンビネーションスタータの補足説明図で、（ａ）は回路遮断器，電磁接触器，接続モジュールに分けた分解斜視図、（ｂ）は組立状態の斜視図
【符号の説明】
【００１２】
１    回路遮断器
１ｂ  負荷側端子
１ｂ−１  ねじ穴
１ｃ  端子ねじ
１ｅ  相間隔壁
１ｅ−１  ガイド溝
２    電磁接触器
２ａ  電源側端子
２ｃ  端子ねじ
２ｅ  相間隔壁
２ｅ−１  ガイド溝
４    導電接続部材
４ａ，４ｂ  端子ねじの通し穴
４ｃ  フォーク状の接続部
５    可撓性接続線
【図１】
0004924371.tif 000002
【図２】
0004924371.tif 000003
【図３】
0004924371.tif 000004
【図４】
0004924371.tif 000005
【図５】
0004924371.tif 000006
【図６】
0004924371.tif 000007
【図７】
0004924371.tif 000008
【図８】
0004924371.tif 000009
【図９】
0004924371.tif 000010
【図１０】
0004924371.tif 000011
【図１１】
0004924371.tif 000012
【図１２】
0004924371.tif 000013
【図１３】
0004924371.tif 000014
【図１４】
0004924371.tif 000015